【手続補正書】
【提出日】平成20年6月4日(2008.6.4)
【手続補正１】
【補正対象書類名】特許請求の範囲
【補正対象項目名】請求項２
【補正方法】変更
【補正の内容】
【請求項２】
画像形成装置本体に着脱可能なプロセスカートリッジを有し、該プロセスカートリッジの現像器内の現像剤量を検知するとともに、設置環境の温度を検知し、前記検知された現像剤量及び前記設置環境の温度に応じて、現像スリーブに印加する現像バイアスの交流成分の振幅を切り替える画像形成装置に使用される現像剤であって、
動的見かけ密度ｄ（ｇ／ｃｍ3）の時間依存性が、前記現像剤の真密度をＤ（ｇ／ｃｍ3）とした場合、以下の条件式（２）を満たし、且つ吸着及び脱着過程の水分量が、相対湿度２０％において、以下の条件式（３）を満足することを特徴とする現像剤。
０．０６８×Ｌｎ（ｔ）＋Ｄ／７．４≦ｄ≦０．０７３５×Ｌｎ（ｔ）＋Ｄ／６．１
（２）
〔ただし、ｔは時間（ｓｅｃ）；１０≦ｔ≦３００〕
０．０１≦（Ｗ２−Ｗ１）≦０．０４    （３）
〔ただし、Ｗ１は吸着過程の吸着水分量（質量％）、Ｗ２は脱着過程の吸着水分量（質量％）〕
【手続補正２】
【補正対象書類名】特許請求の範囲
【補正対象項目名】請求項６
【補正方法】変更
【補正の内容】
【請求項６】
少なくとも疎水性無機微粒子が外添されていることを特徴とする請求項１乃至５のいずれかに記載の現像剤。
【手続補正３】
【補正対象書類名】特許請求の範囲
【補正対象項目名】請求項１３
【補正方法】変更
【補正の内容】
【請求項１３】
少なくとも、画像形成装置本体に設置環境の温度を検知する温度センサ及び現像バイアスを印加する手段を有し、
前記設置環境の温度センサ及び現像剤量を検知する検知手段の検知結果に応じて現像バイアスの交流成分の振幅を切り替えることが可能な画像形成装置に使用されるプロセスカートリッジであって、
少なくとも現像スリーブと現像剤を収納する現像剤収納容器と現像剤攪拌部材及び前記現像剤量を検知する検知手段を有し、
さらに、前記検知された現像剤量を記憶するための手段を有し、
前記現像剤は、動的見かけ密度ｄ（ｇ／ｃｍ3）の時間依存性が、前記現像剤の真密度をＤ（ｇ／ｃｍ3）とした場合、以下の条件式（５）を満たすことを特徴とするプロセスカートリッジ。
０．０６８×Ｌｎ（ｔ）＋Ｄ／７．４≦ｄ≦０．０７３５×Ｌｎ（ｔ）＋Ｄ／６．１
（５）
〔ただし、ｔは時間（ｓｅｃ）；１０≦ｔ≦３００〕
【手続補正４】
【補正対象書類名】特許請求の範囲
【補正対象項目名】請求項１５
【補正方法】変更
【補正の内容】
【請求項１５】
画像形成装置本体に着脱可能なプロセスカートリッジを有し、該プロセスカートリッジの現像器内の現像剤量を検知するとともに、設置環境の温度を検知し、前記検知された現像剤量及び前記設置環境の温度に応じて、前記現像スリーブに印加する現像バイアスの交流成分の振幅を切り替える画像形成装置であって、
該現像剤の動的見かけ密度ｄ（ｇ／ｃｍ3）の時間依存性が、前記現像剤の真密度をＤ（ｇ／ｃｍ3）とした場合、以下の条件式（２）を満たし、且つ
該現像剤の吸着及び脱着過程の水分量が、相対湿度２０％において、以下の条件式（３）を満足することを特徴とする画像形成装置。
０．０６８×Ｌｎ（ｔ）＋Ｄ／７．４≦ｄ≦０．０７３５×Ｌｎ（ｔ）＋Ｄ／６．１
（２）
〔ただし、ｔは時間（ｓｅｃ）；１０≦ｔ≦３００〕
０．０１≦（Ｗ２−Ｗ１）≦０．０４    （３）
〔ただし、Ｗ１は吸着過程の吸着水分量（質量％）、Ｗ２は脱着過程の吸着水分量（質量％）〕
【手続補正５】
【補正対象書類名】明細書
【補正対象項目名】０００４
【補正方法】変更
【補正の内容】
【０００４】
例えば、現像スリーブに印加される現像バイアスは、像担持体の静電潜像を現像するために、最良の画質が得られるように、その値を決定している。しかし、昨今のプロセスカートリッジ（以下、「カートリッジ」という）の長寿命化の流れにおいて単一の現像バイアス設定では耐久の初期から寿命まで最良の画質を得ることが困難となってきた。
【手続補正６】
【補正対象書類名】明細書
【補正対象項目名】００７２
【補正方法】変更
【補正の内容】
【００７２】
一方、ビニル系樹脂を生成する為のビニル系モノマーとしては、次の様なものが挙げられる。
【手続補正７】
【補正対象書類名】明細書
【補正対象項目名】００７６
【補正方法】変更
【補正の内容】
【００７６】
本発明のトナーにおいて、結着樹脂のビニル系樹脂は、ビニル基を２個以上有する架橋剤で架橋された架橋構造を有してもよいが、この場合に用いられる架橋剤は、芳香族ジビニル化合物として例えば、ジビニルベンゼン、ジビニルナフタレンが挙げられ；アルキル鎖で結ばれたジアクリレート化合物類として例えば、エチレングリコールジアクリレート、１，３−ブチレングリコールジアクリレート、１，４−ブタンジオールジアクリレート、１，５−ペンタンジオールアクリレート、１，６−へキサンジオールジアクリレート、ネオペンチルグリコールジアクリレート、及び以上の化合物のアクリレートをメタクリレートに代えたものが挙げられ；エーテル結合を含むアルキル鎖で結ばれたジアクリレート化合物類としては、例えば、ジエチレングリコールジアクリレート、トリエチレングリコールジアクリレート、テトラエチレングリコールジアクリレート、ポリエチレングリコール＃４００ジアクリレート、ポリエチレングリコール＃６００ジアクリレート、ジプロピレングリコールジアクリレート、及び以上の化合物のアクリレー卜をメタクリレートに代えたものが挙げられ；芳香族基及びエーテル結合を含む鎖で緒ばれたジアクリレート化合物類として例えば、ポリオキシエチレン（２）−２，２−ビス（４ヒドロキシフェニル）プロパンジアクリレード、ポリオキシエチレン（４）−２，２−ビス（４ヒドロキシフェニル）プロパンジアクリレート、及び以上の化合物のアクリレートをメタクリレートに代えたものが挙げられ；ポリエステル型ジアクリレート化合物類として例えば、商品名ＭＡＮＤＡ（日本化薬）が掲げられる。
【手続補正８】
【補正対象書類名】明細書
【補正対象項目名】００８０
【補正方法】変更
【補正の内容】
【００８０】
本発明のビニル系共重合体を製造する場合に用いられる重合開始剤としては、例えば、２，２’−アゾビスイソブチロニトリル、２，２’−アゾビス（４−メトキシ−２，４−ジメチルバレロニトリル）、２，２’−アゾビス（−２，４−ジメチルバレロニトリル）、２，２’−アゾビス（−２メチルブチロニトリル）、ジメチル−２，２’−アゾビスイソブチレート、１，１’−アゾビス（１−シクロヘキサンカルボニトリル）、２−（カーバモイルアゾ）−イソブチロニトリル、２，２’−アゾビス（２，４，４−トリメチルペンタン）、２−フェニルアゾ−２，４−ジメチル−４−メトキシバレロニトリル、２，２−アゾビス（２−メチルプロパン）、メチルエチルケトンパーオキサイド、アセチルアセトンパ−オキサイド、シクロヘキサノンパーオキサイドの如きケトンパーオキサイド類、２，２−ビス（ｔ−ブチルパーオキシ）ブタン、ｔ−ブチルハイドロパーオキサイド、クメンハイドロパーオキサイド、１，１，３，３−テトラメチルブチルハイドロパーオキサイド、ジ−ｔ−ブチルパーオキサイド、ｔ−ブチルクミルパーオキサイド、ジクミルパーオキサイド、α，α’−ビス（ｔ−ブチルパーオキシイソプロピル）ベンゼン、イソブチルパーオキサイド、オクタノイルパーオキサイド、デカノイルパーオキサイド、ラウロイルパーオキサイド、３，５，５−トリメチルヘキサノイルパーオキサイド、ベンゾイルパーオキサイド、ｍ−トリオイルパーオキサイド、ジ−イソプロピルパーオキシジカーボネート、ジ−２−エチルヘキシルパーオキシジカーボネート、ジ−ｎ−プロピルパーオキシジカーボネート、ジ−２−エトキシエチルパーオキシカーボネト、ジメトキシイソプロピルパーオキシジカーボネート、ジ（３−メチル−３−メトキシブチル）パーオキシカーボネート、アセチルシクロヘキシルスルホニルパーオキサイド、ｔ−ブチルパーオキシアセテート、ｔ−ブチルパーオキシイソブチレート、ｔ−ブチルパーオキシネオデカノエイト、ｔ−ブチルパーオキシ２−エチルヘキサノエート、ｔ−ブチルパーオキシラウレート、ｔ−ブチルパーオキシベンゾエイト、ｔ−ブチルパーオキシイソプロピルカーボネート、ジ−ｔ−ブチルパーオキシイソフタレート、ｔ−ブチルパーオキシアリルカーボネート、ｔ−アミルパーオキシ２−エチルヘキサノエート、ジ−ｔ−ブチルパーオキシヘキサハイドロテレフタレート，ジ−ｔ−ブチルパーオキシアゼレートがあげられる。
【手続補正９】
【補正対象書類名】明細書
【補正対象項目名】０１０２
【補正方法】変更
【補正の内容】
【０１０２】
本発明で用いられる無機微粒子としては、湿式製法シリカ、乾式製法シリカ、酸化チタン、アルミナ、酸化亜鉛、酸化スズの如き酸化物；チタン酸ストロンチウムやチタン酸バリウム、チタン酸カルシウム、ジルコン酸ストロンチウムやジルコン酸カルシウムの如き複酸化物；炭酸カルシウム及び、炭酸マグネシウムの如き炭酸塩化合物等があるが、現像性、流動性向上のために、シリカ、酸化チタン、アルミナ、あるいはそれらの複酸化物から選ばれることが好ましい。